(57)【要約】【課題】複数の情報を異なる表示部にそれぞれ表示することができると共に、一方の情報を閲覧しながら他方の機能を操作することが可能な携帯端末装置を提供することにある。【解決手段】２つの筐体が重ね合わせ位置と開いた位置をそれぞれ取り得るように連結部を介して連結して成り、前記一方の筐体には操作部を有すると共に、他方の筐体には第一の表示部と、該第一の表示部を覆う位置及び露出させる位置をそれぞれ取り得るように移動可能に構成された第二の表示部とを有する携帯端末装置であって、前記２つの筐体が開いた位置にあり、且つ前記第二の表示部が前記第一の表示部を覆う位置にあるとき、前記第二の表示部のみ動作させることを特徴とする。【選択図】図２
2004356966.tif 000002
【特許請求の範囲】
【請求項１】
２つの筐体が重ね合わせ位置と開いた位置をそれぞれ取り得るように連結部を介して連結して成り、前記一方の筐体には操作部を有すると共に、他方の筐体には第一の表示部と、該第一の表示部を覆う位置及び露出させる位置をそれぞれ取り得るように移動可能に構成された第二の表示部とを有する携帯端末装置であって、前記２つの筐体が開いた位置にあり、且つ前記第二の表示部が前記第一の表示部を覆う位置にあるとき、前記第二の表示部のみ動作させ、前記操作部の操作に対応する出力情報を前記第二の表示部に表示させ、前記２つの筐体が開いた位置にあり、且つ前記第一の表示部が露出した位置にあるとき、前記第二の表示部に出力された情報を保持した状態で前記第一の表示部を動作させ、前記操作部の操作に対応する出力情報を前記第一の表示部に表示させるように制御する制御部を有することを特徴とする携帯端末装置。
【請求項２】
前記一方の筐体には受話部及び送話部を有することを特徴とする請求項１に記載の携帯端末装置。
【発明の詳細な説明】
【０００１】
【発明の属する技術分野】本発明は、携帯電話機、ＰＤＡ（Ｐｅｒｓｏｎａｌ  Ｄｉｇｉｔａｌ  Ａｓｓｉｓｔａｎｔ）等の携帯端末装置に関し、具体的には、２つの表示部を有し、一方の表示部により他方の表示部を覆う位置及び露出させる位置をそれぞれ取り得るように構成された携帯端末装置に関する。
【０００２】
【従来の技術】
近年、携帯電話機、ＰＤＡ（Ｐｅｒｓｏｎａｌ  Ｄｉｇｉｔａｌ  Ａｓｓｉｓｔａｎｔ）等の携帯端末装置には複数の表示部を有するものがあり、折畳み式の携帯電話機の筐体の背面に第２の表示部を設けたものがある（特許文献１）。
【０００３】
このような携帯端末装置の多機能化に対応して、複数の表示部を備え、これらの表示部に表示された画面表示を同時に見ることのできる携帯端末装置が提案されている（特許文献１）。
【０００４】
【特許文献１】
特開２００２−２１８０３０号公報
【０００５】
【発明が解決しようとする課題】
ところが、特許文献１の携帯端末装置では、複数の画面を使って、長い文章や情報を一度に表示することができるものの、上記複数の画面に異なる機能に関する情報を表示させることはできず、別々に起動した複数の機能に関する情報をそれぞれ見ながら操作することができないという課題があった。
【０００６】
即ち、携帯端末装置の多機能化に伴い、例えば、通話中に電子メールの受信履歴を呼び出して閲覧したり、電子メールの新規作成中に過去に撮像して記憶してある画像を呼び出して選択したり、といった使い方が望まれているが、特許文献１の携帯端末装置ではそのような使い方をすることはできない。
【０００７】
また、接合部を介して接続された２つの筐体のうち、上部筐体に複数の表示部が備わっているため、ユーザーが受話部を耳元に、送話部を口元にそれぞれ保持して通話している最中は、ユーザーは表示部を視認することができないという課題があった。
【０００８】
さらに、通話中に複数の機能を同時に実行してそれら機能に対応する画面表示を見ようとしても、ユーザーは耳元や口元から一度筐体を離してからでなければ表示部を視認することができず、通話相手との会話が途絶えてしまうという課題があった。
【０００９】
【発明の目的】
そこで、本発明の目的は、複数の機能を別々に異なる表示部上で実行でき、且つこれらの機能それぞれに対応する画面表示を見ながら操作することが可能な携帯端末装置を提供することにある。
【００１０】
【課題を解決するための手段】
上記の課題を解決するため、請求項１に係る発明は、２つの筐体が重ね合わせ位置と開いた位置をそれぞれ取り得るように連結部を介して連結して成り、前記一方の筐体には操作部を有すると共に、他方の筐体には第一の表示部と、該第一の表示部を覆う位置及び露出させる位置をそれぞれ取り得るように移動可能に構成された第二の表示部とを有する携帯端末装置であって、前記２つの筐体が開いた位置にあり、且つ前記第二の表示部が前記第一の表示部を覆う位置にあるとき、前記第二の表示部のみ動作させ、前記操作部の操作に対応する出力情報を前記第二の表示部に表示させ、前記２つの筐体が開いた位置にあり、且つ前記第一の表示部が露出した位置にあるとき、前記第二の表示部に出力された情報を保持した状態で前記第一の表示部を動作させ、前記操作部の操作に対応する出力情報を前記第一の表示部に表示させるように制御する制御部を有することを特徴とする。
【００１１】
請求項２に係る発明は、請求項１に記載の携帯端末装置において、前記一方の筐体には受話部及び送話部を有することを特徴とする。
【００１２】
【発明の実施の形態】
以下、本発明の実施形態を添付図面を参照して説明する。
【００１３】
本発明の携帯端末装置の例として、携帯電話機に適用したものを図１乃至図４に示す。
【００１４】
この携帯端末装置１００は、ヒンジ部１０１を介して上部筐体１０２と下部筐体１０３とを重ね合わせ可能に連結したもので、図１及び図２は、上部筐体１０２と下部筐体１０３とを開いた状態を示す斜視図であり、図３は、上部筐体１０２と下部筐体１０３とを重ね合わせた状態を示す斜視図である。
【００１５】
なお、本発明において、上部筐体１０２と下部筐体１０３とが重ね合わさる互いの対向面を重合面と言う。
【００１６】
携帯端末装置１００において、上部筐体１０２の重合面１０２ａにはキー操作部１０６、及び送話部１０７を有しており、下部筐体１０３の重合面１０３ａには第一の表示部１０９と第二の表示部１１０を有している。この第二の表示部１１０は、連結部１０８により回転可能に連結されており、第二の表示部１１０が第一の表示部１０９を覆う位置（図１）と、第一の表示部１０９及び第二の表示部１１０がそれぞれ露出する位置（図２）とをとり得るようになっている。なお、１０４は、上部筐体１０２に設けられた受話部であり、１０５は、上部筐体１０２に設けられたアンテナである。
【００１７】
受話部１０４は、通話中に通話相手の音声を放音するものである。
【００１８】
アンテナ１０５は、基地局（図示せず）と送受信を行うものであり、これにより、通話や電子メールの送受信等を行うことができる。
【００１９】
キー操作部１０６は、複数のキーから成り、ユーザーがこれらのキーを押下することで携帯端末装置１００に備わる通話機能や電子メール通信機能等の諸機能に関する操作を行うことができ、例えば、通話相手先への電話番号のダイアル操作や、電子メールの文章作成時の文字入力操作に用いられる。
【００２０】
送話部１０７は、通話中にユーザーの音声を集音するものである。
【００２１】
第一の表示部１０９及び第二の表示部１１０は、携帯端末装置１００に備わる通話機能や電子メール通信機能等の諸機能に関する情報を出力表示するもので、例えば、通話中での通話相手先の電話番号及び通話時間の表示や、受信した電子メールの本文の表示等を行う。
【００２２】
図１に示す状態では、第二の表示部１１０のみが外部に露出するようになっている。図１の状態から、連結部１０８を下部筐体１０３の重合面１０３ａに対して水平に回動させることで、図２に示すように、第一の表示部１０９と第二の表示部１１０がそれぞれ外部に露出した状態とすることができる。
【００２３】
図４に基づいて第一の表示部１０９及び第二の表示部１１０の詳細について説明する。図４は図１中のＡ−Ａ線断面図である。
【００２４】
第一の表示部１０９は、下部筐体１０３内に配置されており、第一の表示部１０９の表示面が、下部筐体１０３の重合面１０３ａから露出している。
【００２５】
第二の表示部１１０は、ケーシング１１１内に収容され、第二の表示部１１０の表示面が第二の表示部１１０の表示面が、第一の表示部１０９の表示面と同一方向を向くように配置してある。
【００２６】
下部筐体１０３の重合面１０３ａには開口部１１２を備えると共に、この開口部１１２と対向するケーシング１１１の下面１１１ｂ及び上面１１１ａにもそれぞれ開口部１１４ａ、１１４ｂを備え、これら開口部１１２、１１４ａ、１１４ｂに連結部１０８の軸部１０８ａを挿通させることにより下部筐体１０３とケーシング１１１とを回転可能に構成してある。
【００２７】
また、軸部１０８ａの外周面には、周方向に延びるスリット１０８ｂを備え、第二の表示部１１０のケーブル１１６を、前記スリット１０８ｂを通して下部筐体１０３側へ導くようになっている。
【００２８】
そして、下部筐体１０３側へ導かれたケーブル１１６及び第一の表示部１０９のケーブル１１５はそれぞれヒンジ部１０１と連結される面に設けられた開口部１１３よりヒンジ部１０１内に設けられた空洞部（不図示）を通して上部筐体１０２内に備える回路基板（不図示）と電気的に接続されるようになっている。
【００２９】
このため、ケーシング１１１は点線αを中心として連結部１０８の軸部１０８ａに対して回転させることができ、ケーシング１１１内に設けられた第二の表示部１１０が第一の表示部１０９を覆う位置と第一の表示部１１０の表示面を露出させる位置をそれぞれ取り得るようになっている。
【００３０】
次に、図６及び図７を参照して、この携帯端末装置１００の動作を説明する。
【００３１】
図６は携帯端末装置１００の構成を示す機能ブロック図で、受話部１０４、アンテナ１０５、キー操作部１０６、送話部１０７、無線部１１７、第一の表示部１０９、第二の表示部１１０、各表示部１０９、１１０の状態を検出する第一の状態検出部１１９、及び各筐体１０２、１０３の状態を検出する第二の状態検出部１２２がそれぞれ制御部１１８に接続されている。
【００３２】
制御部１１８は、携帯端末装置１００全体の制御を行うもので、携帯端末装置１００に備わる諸機能の制御等を行う。
【００３３】
無線部１１７は、アンテナ１０５を介して電波を送受信するための信号処理を行う処理部である。
【００３４】
第一の状態検出部１１９は、第二の表示部１１０を備えたケーシング１１１の回転状態を検出することで、第二の表示部１１０が第一の表示部１０９を覆う位置にあるのか、第一の表示部１０９を露出させる位置にあるのかを検出する。
【００３５】
第二の状態検出部１２２は、第一の筐体１０２と第二の筐体１０３の開閉状態を検出することで、上部筐体１０２と下部筐体１０３が重ね合わされた閉状態にあるのか、開状態にあるのかを検出する。
【００３６】
表示制御部１２０は、第一の表示部１０９と第二の表示部１１０の駆動条件の制御を行う。
【００３７】
キー操作制御部１２１は、キー操作部１０６の制御を行うもので、キー操作部１０６からの操作に対応する出力情報を第一の表示部１０９に表示させるか、あるいは第二の表示部１１０に表示させるを制御する。
【００３８】
図７は携帯端末装置１００の動作を具体的に示すフローチャートである。
【００３９】
まず、図３に示す状態のとき、上部筐体１０２及び下部筐体１０３が重ね合わされた状態にあり、第一の表示部１０９及び第二の表示部１１０は共に駆動していない。
【００４０】
図３に示す状態からヒンジ部１０１を回転させて、図１に示す上部筐体１０２と下部筐体１０３を開いた状態にすると、第二の状態検出部１２２は、上部筐体１０２と上部筐体１０３とが開いた状態にあることを検出し（Ｓ１のＹＥＳ）。
【００４１】
この状態では、表示制御部１２０が第二の表示部１１０を駆動させる（Ｓ２）と共に、キー操作制御部１２１は、キー操作部１０６からの操作に対応する出力情報を第二の表示部１１０に表示するようにする（Ｓ３）。
【００４２】
この状態からさらに、ケーシング１１１を回動させ、第二の表示部１１０を第一の表示部１０９に対して、図２に示す所定の角度θまで開くと、第一の状態検出１２０は、第一の表示部１０９が露出した状態であることを検出する（Ｓ３のＹＥＳ）。
【００４３】
Ｓ３で露出した状態であることが検出されると、表示制御部１２０は第二の表示部１１０に表示された情報を保持したまま、第一の表示部１０９を駆動させ（Ｓ４）、さらに、キー操作制御部１２１は、キー操作部１０６からの操作に対応する出力情報を第一の表示部１０９に表示するように切り換える（Ｓ５）。
【００４４】
Ｓ４及びＳ５の処理により、ユーザーは、第一の表示部１０９及び第二の表示部１１０の両表示画面を見ながら、混乱することなく、新たに表示された第一の表示画面１０９に表示された機能に対するキー操作を行うことができる。
【００４５】
次に、第一の表示部１０９が露出した状態から第二の表示部１１０を回転させて第一の表示部１０９を覆う図１の状態にすると、第一の状態検出部１２０は、第一の表示部１０９が第二の表示部１１０によって覆われた状態であることを検出する（Ｓ６のＹＥＳ）。
【００４６】
Ｓ６で、第一の表示部１０９が覆われた状態であることが検出されると、表示制御部１２０は第二の表示部１１０に表示された情報を保持したまま、第一の表示部１０９の表示画面の動作を停止し（Ｓ７）、さらに、キー操作制御部１２１は、キー操作部１０６からの操作に対応する出力情報を第二の表示部１１０に表示するように切り換える（Ｓ８）。
【００４７】
このように、本発明によれば、一方の表示部と他方の表示部を露出させることで、一方の表示部に表示されている情報を保持したまま他方の表示部に別の機能に関する情報を出力すると共に、他方の表示部に表示された機能に対する操作が行われるようになっているため、ユーザーは一方の表示部に表示された情報を視認しながら、他方の表示部に表示された別の機能に対する操作を行うことができる。
【００４８】
例えば、受信した電子メールの本文を第二の表示部１１０に表示させながら、第二の表示部１１０に返信メールの作成画面を表示させると共に、キー操作部１０６の操作によって入力した文章情報を前記第二の表示部１１０に出力表示することができる。即ち、受信した電子メールの本文を第二の表示部１１０で視認しながら、返信メールの文章を作成し、その内容を第一の表示部１０９によって確認しながら編集することができる。
【００４９】
また、下部筐体１０３に２つの表示部１０９、１１０を備えると共に、上部筐体１０２に受話部１０４と送話部１０７を有するため、図５に示すように、ユーザーが受話部１０４を耳元に、送話部１０７を口元にそれぞれ保持して通話している最中、２つの表示部１０９、１１０にそれぞれ情報を表示させることができ、それらの内容を見ることができる。
【００５０】
例えば、第一の表示部１０９に通話機能に関する通話時間や通話料金等を表示させておき、第二の表示部１１０にアドレス帳を表示させて閲覧する、といったことが可能である。
【００５１】
なお、本実施例では、２つの表示部を有する携帯電話機を例に説明したが、これに限定するものではなく、３つ以上の表示部を備える携帯電話機に対しても、本発明は適用し得るものであり、また、携帯電話機以外のＰＤＡ（Ｐｅｒｓｏｎａｌ  Ｄｉｇｉｔａｌ  Ａｓｓｉｓｔａｎｔ）等の携帯端末装置にも適用し得るものである。
【００５２】
【発明の効果】
本発明によれば、操作性に優れた携帯端末装置を提供することができる。
【図面の簡単な説明】
【図１】本発明の携帯端末装置を構成する２つの筐体を開いた状態を示す第一の斜視図である。
【図２】本発明の携帯端末装置を構成する２つの筐体を開いた状態を示す第二の斜視図である。
【図３】本発明の携帯端末装置を構成する２つの筐体を閉じた状態を示す斜視図である。
【図４】図１のＡ−Ａ線断面図である。
【図５】本発明の携帯端末装置の使用状態の一例を示す斜視図である。
【図６】本発明の携帯端末装置の構成を示す機能ブロック図である。
【図７】本発明の携帯端末装置の動作を示すフローチャートである。
【符号の説明】
１００              携帯端末装置
１０１              ヒンジ部
１０２              上部筐体
１０２ａ              重合面
１０３              下部筐体
１０３ａ              重合面
１０４              受話部
１０５              アンテナ
１０６              キー操作部
１０７              送話部
１０８              連結部
１０９              第一の表示部
１１０              第二の表示部
１１１              ケーシング
１１２              開口部
１１４ａ，１１４ｂ    開口部
１１５，１１６        第二の表示部のケーブル
１１７              無線部
１１８              制御部
１１９              第一の状態検出部
１２０              表示制御部
１２１              キー操作制御部
１２２              第二の状態検出部
【図１】
2004356966.tif 000003
【図２】
2004356966.tif 000004
【図３】
2004356966.tif 000005
【図４】
2004356966.tif 000006
【図５】
2004356966.tif 000007
【図６】
2004356966.tif 000008
【図７】
2004356966.tif 000009